(57)【特許請求の範囲】
【請求項１】
洗濯機のドアに設置した爪が入る開口部とそのドア爪ロック用の係合部を有し、そのドア爪をロックする方向と逆方向に当るドア爪ロックの解除方向に移動可能に設置され、そのドア爪ロック解除方向に付勢力を受ける爪挿入部材と、その爪挿入部材を操作するロック機構部とを具備し、そのロック機構部に爪挿入部材のドア爪ロック用係合部と対応するドア爪ロック用の係合部を有し、その爪挿入部材の移動方向と直角方向に移動可能に設置された操作部材と、その操作部材をドア爪ロックとドア爪ロック解除に当り移動させる手段とを備えてなる洗濯機用ドアロック装置において、上記操作部材移動手段として、その操作部材を爪挿入部材の方向に付勢する圧縮コイルスプリングと、その操作部材を爪挿入部材の方向と逆方向に移動させるソレノイドとを備え、更にその操作部材の本体に軸を設置してハートカムを回転可能に備え付け、そのハートカムに設けたハート溝の内面にロックピンの先端を接触させ、そのロックピンを先端が操作部材の移動方向には移動不能で、その移動方向と直角の方向やハート溝の深さ方向には移動可能となるように支持し、そのハートカムを回転不能に位置規制可能な手動解除部材を備えることを特徴とする洗濯機用ドアロック装置。
【請求項２】
爪挿入部材の開口部を有する本体の操作部材設置側に、ドア爪ロック用係合部として、爪挿入部材の移動方向と直角方向に突出してドア爪ロック解除方向に屈曲し、開口部の深さ方向に所定の厚みを有するアームと、そのアームの開口部入口側の面に一体に結合してアームを補強する補強板とを設け、操作部材の本体の爪挿入部材設置側に、ドア爪ロック用係合部としてロック用突部を設けることを特徴とする請求項１記載の洗濯機用ドアロック装置。
【請求項３】
ソレノイドのプランジャーに、そのプランジャーの吸引距離を設定する位置決め手段を固定し、その位置決め手段のソレノイド本体側に消音部材を重ねて設置することを特徴とする請求項１又は２記載の洗濯機用ドアロック装置。
【請求項４】
爪挿入部材とその爪挿入部材をドア爪ロック解除方向に付勢する圧縮コイルスプリングとの間に、シーソー型カムの一端部を介在し、そのシーソー型カムの他端部を固定接点に対応する可動接点付きのスプリング力を有する可動片に接触させたスイッチ部を備えることを特徴とする請求項１、２又は３記載の洗濯機用ドアロック装置。
【発明の詳細な説明】
【０００１】
【発明の属する技術分野】
本発明はドラム式洗濯機等のドアをロックする洗濯機用ドアロック装置に関する。
【０００２】
【従来の技術】
従来、ドラム内で連続して自動的に洗濯、脱水、乾燥等の行える省スペース型の洗濯乾燥機として、ドラム式洗濯機がヨーロッパで開発され使用されている。このようなドラム式洗濯機では図１３で示すように本体２の内部に設置したドラム３の開口４を洗濯物を出し入れするための投入口として正面側に設け、そのドラム投入口４を開閉するためのドア５も正面側に設けている。そして、ドア５には爪６を設け、本体２の壁面にはその爪６が入る開口７を設けて、その壁面内側にドアロック装置８を設置し、洗濯、脱水、乾燥時等にドア５をロック可能にしている。
【０００３】
このため、ドアロック装置８には例えばその壁面開口７に連通し、爪６が入る開口部とそのドア爪ロック用の係合部を有し、そのドア爪をロックする方向と逆方向に当るドア爪ロックの解除方向に移動可能に設置され、そのドア爪ロック解除方向に付勢力を受ける爪挿入部材と、その爪挿入部材をロックするロック機構部とを具備し、そのロック機構部に爪挿入部材のドア爪ロック用係合部と対応するドア爪ロック用の係合部を有し、爪挿入部材の移動方向と直角方向に移動可能に設置された操作部材と、その操作部材をドア爪ロックとドア爪ロック解除に当り移動させる手段としてヒータ付きバイメタルとを備えるものがある。
【０００４】
【発明が解決しようとする課題】
しかしながら、このようなロック機構部の操作部材を移動させる手段としてヒータ付きバイメタルを用いると、ヒータによるバイメタルの加熱とバイメタルの自然冷却による作動のため、特に通電停止による操作部材の移動開始が遅れて、ドア爪ロック解除の反応が遅くなる。しかも、洗濯中等に停電が発生すると、ドア爪が解除されドアが開いてしまう。それ故、洗濯時や脱水時にドア５が開くとドラム中の水（以下、槽水という）が外部に出るし、乾燥中にドア５が開くと誤って洗濯物を取り出そうとしてドラム投入口４より手を入れ火傷をする恐れがある。そこで、洗濯中等の停電に対処するため、エアートラップ方式を追加し、二重ロック方式にしたものがある。なお、エアートラップ方式ではドラム中の水圧をダイヤフラム等を用いて検出しロックするため、洗濯中等に停電してもドアは開かない。
【０００５】
又、ヒータ付きバイメタルに替えてソレノイドを用い、操作部材をドア爪ロックとドア爪ロック解除に当り素早く移動させるロック機構部を備えたものが開発された。しかし、爪挿入部材の移動方向と操作部材の移動方向が同一方向であるため、ロック状態にあるドアを強制的に開けようとした時に、ロック機構部に大きな負荷がかかり易い。それ故、ロック機構部の機械的強度を大きくしなければならず問題がある。又、洗濯中時に停電してもロック状態を保ちドアが開かないようにするため、ドア爪ロック時とそのドア爪ロック解除時とで異なるソレノイドを用いて、操作部材を吸引し或いは押し出すものがある。
【０００６】
又、ソレノイドを１個だけ備えるロック装置として他にドア爪ロックは操作部材を機械的に押して行い、そのロック解除はソレノイドにより操作部材を電気的に吸引して行うものがある。しかし、ドアを閉じるとロックがかかるため、洗濯開始前に再度ドアを開けて洗濯物を追加しようとしても、そのままではドアは開かない。それ故、ドアを開けるにはソレノイドに通電する等の他の操作を必要とする。なお、ソレノイドを備えたドアロック装置のドアロックを停電時に解除するには操作部材をひもで引いてロックを解除する。
【０００７】
本発明はこのような従来の問題点を解決するためになされたものであり、ロック機構部をコンパクトにその作動をスピード化し、停電時の無通電操作でも槽水が流出せず、停電時のドア解放も可能で、装置の小形化が容易な洗濯機用ドアロック装置を提供することを目的とする。
【０００８】
【課題を解決するための手段】
上記目的を達成するために、本発明による洗濯機用ドアロック装置には洗濯機のドアに設置した爪が入る開口部とそのドア爪ロック用の係合部を有し、そのドア爪をロックする方向と逆方向に当るドア爪ロックの解除方向に移動可能に設置され、そのドア爪ロック解除方向に付勢力を受ける爪挿入部材と、その爪挿入部材を操作するロック機構部とを具備し、そのロック機構部に爪挿入部材のドア爪ロック用係合部と対応するドア爪ロック用の係合部を有し、爪挿入部材の移動方向と直角方向に移動可能に設置された操作部材と、その操作部材をドア爪ロックとドア爪ロック解除に当り移動させる手段とを備える。
【０００９】
そして、その操作部材移動手段として、その操作部材を爪挿入部材の方向に付勢する圧縮コイルスプリングと、その操作部材を爪挿入部材の方向と逆方向に移動させるソレノイドとを備え、更にその操作部材の本体に軸を設置してハートカムを回転可能に備え付け、そのハートカムに設けたハート溝の内面に、ロックピンの先端を接触させ、そのロックピンを先端が操作部材の移動方向には移動不能で、その移動方向と直角の方向やハート溝の深さ方向には移動可能となるように支持し、そのハートカムを回転不能に位置規制可能な手動解除部材を備える。
【００１０】
又、爪挿入部材の開口部を有する本体の操作部材設置側に、ドア爪ロック用係合部として、爪挿入部材の移動方向と直角方向に突出してドア爪ロック解除方向に屈曲し、開口部の深さ方向に所定の厚みを有するアームと、そのアームの開口部入口側の面に一体に係合してアームを補強する補強板とを設け、操作部材の本体の爪挿入部材設置側に、ドア爪ロック用係合部としてロック用突部を設けるとよい。
【００１１】
又、ソレノイドのプランジャーに、そのプランジャーの吸引距離を設定する位置決め手段を固定し、その位置決め手段のソレノイド本体側に消音部材を重ねて設置するとよい。
又、爪挿入部材とその爪挿入部材をドアロック解除方向に付勢する圧縮コイルスプリングとの間に、シーソー型カムの一端部を介在し、そのシーソー型カムの他端部を固定接点に対応する可動接点付きのスプリング力を有する可動片に接触させたスイッチ部を備えると好ましくなる。
【００１２】
【発明の実施の形態】
以下、添付の図１〜１２を参照して、本発明の実施の形態を説明する。
図１は本発明を適用したドラム式洗濯機用ドアロック装置のケース取り付け前の状態を示す正面図、図２はそのドラム式洗濯機用ドアロック装置のケース取り付け後の状態を示す縦断面図、図３はそのドラム式洗濯機用ドアロック装置の右側面図である。このドラム式洗濯機用ドアロック装置９はベース１０の所定箇所に、爪挿入部材１１、ロック機構部１２、ロック検出部１３、スイッチ部１４、手動解除機構部１５をそれぞれ配設して組み立て収納し、ケース１６で被って製作する。その際、ベース１０は装置９を構成する多数部材等の収納を可能にするため、大略長方形状底板１７の周縁に側壁１８を形成したプラスチック製等の絶縁性の皿状体にする。しかも、底板１７や側壁１８には所定箇所に外部との接続に用いる端子等を突出させるため、或いはケース１６の側壁を嵌め合わせるための開口部を成形しておく。
【００１３】
又、爪挿入部材１１にはその方形板状本体１９の中央部に、洗濯機のドアに設置した爪が入る開口部２０を形成し、その本体１９のドア爪ロック時の移動方向（前進方向）にある外側隅部に、スイッチ操作用の四角柱状突部２１を形成し、更に本体１９の後述する操作部材の設置側にドア爪ロック用係合部２２を突設する。しかも、ドア爪ロック用係合部２２は図４に示すように本体１９のドア爪ロック時移動方向にある内側隅部からその移動方向と直角方向に突出して、ドア爪ロック方向と逆の解除方向に屈曲し、開口部２０の深さ方向に所定の厚みを有する四角棒状のＬ形アーム２３と、そのアーム２３の開口部入口側（表側）の面に一体に係合してアーム２３を補強し、本体１９の表面とほぼ同一の表面を形成して連なる大略三角形状の補強板２４とから構成する。それ故、アーム２３は補強板２４の裏面からも突出している。
【００１４】
このように、補強板２４を用いてアーム２３を補強すると、アーム２３を細長く肉薄に形成しても外力に耐えられるようになる。そして、本体１９の移動方向と平行な外側の面に２箇所抜け止め兼スライド用の突起２５（２５ａ、２５ｂ）を形成する等して、爪挿入部材１１をベース１０に対し、ドア爪をロックする方向とドア爪ロック解除方向（後退方向）に移動可能に設置する。なお、開口部２０はその内部を爪が所定量入る深さで閉じておく。
【００１５】
又、ロック機構部１２は操作部材２６とそこに設置したハートカム２７とその後述するハート溝に嵌まるロックピン２８とその操作部材２６を爪挿入部材１１の方向に付勢する圧縮コイルスプリング２９とその操作部材２６を爪挿入部材１１の方向と逆方向に移動させるソレノイド３０等とから構成する。そして、操作部材２６には図５に示すようにその長方形板状本体３１の爪挿入部材設置側にあるドア爪ロック解除方向の隅部に、爪挿入部材１１のドア爪ロック用係合部２２と対応するドア爪ロック用係合部として表側に向けて四角柱状突部３２を形成する。
【００１６】
又、本体３１のそのロック用突部３２を形成した側にある長辺付近の中央部に台形筒状のスイッチ操作用突部３３を同様に表側に向けて形成し、更に本体３１のロック用突部３２を形成した隅部と対角線上にある隅部から側方に張り出し、裏側に向けて、ソレノイド３０のプランジャー３４の先端部を嵌め連結する受け穴３５を有する連結用突部３６を形成する。又、本体３１の連結用突部３６を形成した側にある短辺付近から裏側に向けて、圧縮コイルスプリング２９の一端部を受ける受け箇所等を形成した突部（図示なし）をその連結用突部３６と連ねて一体に形成する。又、本体３１の他の長辺付近の中央部にハートカム２７の回転軸となる円柱状突部（点線で示す）３７を裏側に向けて形成する。
【００１７】
又、ハートカム２７は一隅部に側方に向けて方形状の突部を形成し、その突部付近に軸穴を穿設した六角形状の各辺の長さが異なる板体にし、その裏面の中央部にハート溝３８を形成する。このハート溝３８は図６に示すように裏面をハート形に凹ませた溝であるが、その中央にハート形の突部３９を設けてある。そして、ハート溝３８の深さを図７に示すように▲１▼、▲６▼の周辺域と▲７▼周辺域の▲６▼寄り部分で一番深く、▲１▼から▲２▼、▲３▼の周辺域に行くにつれて徐々に浅くし、▲３▼周辺域の▲４▼寄り部分で一番浅くする。又、▲４▼、▲５▼、▲６▼の周辺域に行くにつれて段階的に深くし、▲７▼周辺域の▲８▼寄り部分から▲８▼、▲９▼周辺域に行くにつれて徐々に浅くし、▲１▼に戻る。このようなハートカム２７は通常矢印方向に移動する操作部材２６に対し、後述する手動解除部材から回転不能に位置規制を受け、図６のようにハート溝３８が配置される。なお、矢印の左方向に爪挿入部材１１が配設され、右方向にソレノイド３０が配設されている。
【００１８】
又、ロックピン２８はクランク形状にし、その後端部をベース１０の底板１７に設けた貫通穴に回転自在となるように嵌め、スプリング力を有する接触片４０を用いて、その後端部をベース１０の底板１７に押し付け、更に中央部を押す。すると、ロックピン２８の先端をハート溝３８の内面に接触させ、更に先端が操作部材２６の移動方向には移動不能で、その移動方向と直角の方向やハート溝３８の深さ方向には移動可能となるように支持できる。なお、圧縮コイルスプリング２９の他端はベース１０の底板１７に形成した突部４１で受ける。
【００１９】
又、ソレノイド３０は操作部材２６にハートカム２７を備え付け、ロックピン２８、圧縮コイルスプリング２９等を用いるため、１個設置するだけでよくなり、装置９を小形化できる。そして、プランジャー３４にはその先端部寄り位置に吸引距離を設定する位置決め手段として金属リング４２を固定し、その金属リング４２のソレノイド本体側に消音部材としてゴムリング４３を重ねて設置する。すると、プランジャー３４の吸引時に金属リング４２が直接ソレノイド本体の固定鉄心４４に当ると発生する作動音をそのゴムリング４３によって消し、苦にならないように小さくすることができる。なお、４５がコイル、４６（４６ａ、４６ｂ）が端子であるが、端子４６は外部に露出させる。
【００２０】
又、ロック検出部１３にはマイクロスイッチを用いる。すると、操作部材２６の移動に伴って、その操作部材２６に設けた操作用突部３３により押しボタン４７が押され或いは押しが解放されるため、操作部材２６がロック位置に有ることを検出できる。なお、当然マイクロスイッチ１３の端子４８も外部に露出する。
【００２１】
又、スイッチ部１４は回転軸を有するシーソー型カム４９と、回路を開閉する固定接点５０、可動接点５１を備え、その固定接点５０を一方の固定端子に設け、可動接点５１を他方の固定端子に基端部を固定したスプリング力を有する可動片５２の先端部に設けた回路部とから構成する。そして、爪挿入部材１１とその爪挿入部材１１をドア爪ロック解除方向に付勢する圧縮コイルスプリング５３との間に、シーソー型カム４９の一端部を介在し、その他端部を可動片５２に接触させる。
【００２２】
すると、シーソー型カム４９の一端部に圧縮コイルスプリング５３の付勢力が常に作用する。それ故、シーソー型カム４９へは右方向への回転力が与えられて、可動片５２を押す力が弱くなるため、接点５０、５１は常開状態になる。その際、可動片５２による付勢力もシーソー型カム４９の他端部に与えられるため、そのシーソー型カム４９が一層右方向に回転しようとする。このようなスイッチ部１４を設けると、ロック検出用のマイクロスイッチ１３とは別の大電流スイッチ例えば１５Ａ用のモータ及びヒーターのスイッチとして用い、そのオン、オフをドアの開閉動作と連動させることができるため安全である。なお、当然大電流スイッチの端子５４（５４ａ、５４ｂ）も外部に露出する。
【００２３】
又、手動解除機構部１５は手動解除部材５５とその手動解除部材５５をソレノイド３０の方向に付勢する圧縮コイルスプリング５６等とから構成する。この手動解除部材５５は表側が一部閉じ、裏側が開いた細長い箱形状に形成し、その操作部材２６を設置する側にある側壁の表側中央部にハートカム２７の位置規制用突部５７を設け、シーソー型カム４を設置する側にある側壁から裏側方向にベース１０の底板１７に開けた貫通穴を通って外部に出る手動解除用突部５８を設ける。又、手動解除部材５５の内部に圧縮コイルスプリング５６を収納し、その一端部をベース１０の底板１７から突出する受け突部（図示なし）に当接し、他端部をソレノイド３０の側にある側壁内面に当接する。
【００２４】
すると、通常時には手動解除部材５５を操作部材２６に設けたプランジャー３４との連結用突部３６に当接させて位置決めできる。その際、手動解除部材５５の中央突部５７がハートカム２７を回転不能に位置規制している。なお、手動解除部材５５の外部に出る手動解除用突部５８の先端部に手動解除用のひも（図示なし）を結び付ける。
【００２５】
そして、ベース１０の所定箇所に装置９を構成する多数の部材等をそれぞれ収納した後、ケース１６を被せてねじ止めするとドアロック装置９が完成する。なお、ケース１６の爪を挿入する開口部５９の縁にはその相対する位置に爪の挿入を案内する斜面付きの突部６０（６０ａ、６０ｂ）をそれぞれ設けておく。
【００２６】
このようなドアロック装置９を洗濯機本体の所定箇所に設置して用いた時、洗濯物をドラム内に投入するため等にドアを解放しておくと、各部材等は図８に示すような初期状態にある。その際、爪挿入部材１１に設けたアーム２３の内側空間内に操作部材２６のロック用突部３２が嵌まっている。そこで、ドアを閉じると、ドアに設けた爪がケース１６の開口部５９を経て爪挿入部材１１の開口部２０に入る。
【００２７】
すると、爪が入ると同時にドア爪に押され、図９に示すように圧縮コイルスプリング５３の付勢力に抗して爪挿入部材１１がドア爪をロックする方向に移動する。そして、操作部材２６のロック用突部３２からアーム２３が離れ、爪挿入部材１１のスイッチ操作用突部２１に押されてシーソー型カム４９の一端部が左方向に回転する。それ故、シーソー型カム４９の他端部でスプリング力に抗して可動片５２を押し、両接点５０、５１を閉じて大電流スイッチをオンできる。このような爪挿入部材１１の移動距離（ストローク）と両接点５０、５１の接触圧との関係を示すと、図１０のＡ線のようになる。それ故、爪挿入部材１１のストロークを大きくしてドア爪のロックを強固にしても、接触圧を好適な一定圧に保ち、両接点５０、５１の摩耗を少なくすることができる。なお、爪挿入部材１１で可動片５２を直接押す場合にはＢ線のようになる。
【００２８】
このようにしてドアを閉じた後、洗濯物を追加する必要が生じたりした場合、ドアを引いて爪を開口部２０、５９から抜こうとすると、まだドア爪はロック状態になっておらず、アーム２３の先端部の位置とロック用突部３２の位置がずれている。それ故、それ等のアーム２３やロック用突部３２が移動の妨げとならず、爪挿入部材１１に働く圧縮コイルスプリング５３の付勢力によりドア爪ロックの解除方向に爪挿入部材１１を自在に移動して爪を抜くことができる。しかし、ドアを閉じて爪挿入部材１１をドア爪ロック方向に移動させた後、スタートボタン押すと、ソレノイド３０に電流が流れ、プランジャー３４が吸引される。すると、操作部材２６が圧縮コイルスプリング２９の付勢力に抗して移動し、操作部材２６のロック用突部３２が爪挿入部材１１のドア爪ロック解除方向の前側にきてアーム２３の先端部と並ぶ。
【００２９】
その際、操作部材２６の移動と共にロックピン２８の先端がハート溝３８の内部を相対的に▲１▼の位置から出発して▲２▼、▲３▼、▲４▼、▲５▼と移動する。そこで、ロックピン２８の先端がハート形突部３９の凹部の位置（第６図の点線の位置）にきた時、ソレノイド３０への通電を停止する。すると、ロックピン２８によりハートカム２７更には操作部材２６がロックされるため、圧縮コイルスプリング２９の勢力が作用していてもその位置を保つことができる。それ故、爪挿入部材１１はドア爪ロック解除方向に移動できなくなり、ドアはロック状態になる。
【００３０】
又、操作部材２６をロック方向に移動させると、その操作部材２６に設けた突部３３がマイクロスイッチ１３の押しボタン４７を押す。すると、マイクロスイッチ１３によりロック状態にあることを検出し、ドラム内に給水等を開始できる。このような給水後、洗濯、脱水、乾燥等を行うが、それ等の途中で停電が発生しても、ドアは通電に関係なくロックされているため、当然ドアは開かず、槽水が流出することもない。
【００３１】
乾燥終了後、ソレノイド３０に通電してプランジャー３４を更に吸引すると、操作部材２６が圧縮コイルスプリング２９の付勢力に抗して移動する。すると、ロックピン２８の先端がハート形突部３９の凹部から外れて▲５▼から▲６▼へと移動を開始する。そこで、ソレノイド３０への通電を停止すると、操作部材１１には圧縮コイルスプリング２９の付勢力が作用し、ロックピン２８の先端が▲７▼、▲８▼、▲９▼と移動し、▲１▼の位置に戻る。それ故、爪挿入部材１１のアーム２３と操作部材２６のロック用突部３２との関係は図９の位置に戻るため、ドアの解放が可能になる。なお、一時停止ボタンを押すと脱水後にドアを開けることができる。
【００３２】
尤も、このような洗濯、脱水、乾燥等の途中で停電すると、当然ドアロック状態のままで止まってしまう。そこで、洗濯物を取り出したい時にはひもを引き、圧縮コイルスプリング５６の付勢力に抗して手動解除部材５５を移動させる。すると、図１２に示すように手動解除部材５５の位置規制部材５７がハートカム２７から外れてハートカム２７が回転する。何故なら、ハートカム２７にはロックピン２８から常に回転して初期の位置▲１▼に戻ろうとするスプリング力が働いている。それ故、ロックピン２８がハートカム２７を回転させ、操作部材２６を元の位置に戻す。このため、ドアの解放が可能になる。
【００３３】
【発明の効果】
以上説明した本発明によれば、請求項１記載の発明では爪挿入部材の移動方向に対し、ロック機構部に備える操作部材の移動方向を直角方向にするため、ドア爪ロック時にドアを開けようとしても、ロック機構部に大きな負荷がかからず、ロック機構部の機械的強度を小さくすることが可能になり、コンパクトにできる。又、操作部材の駆動源としてソレノイドを用いるため、操作部材をドア爪ロックとそのドア爪ロック解除に当り素早く移動させて、装置の作動をスピード化することができる。
【００３４】
又、操作部材にハートカムを回転可能に備え付け、そのハート溝内にロックピンの先端を接触させ、そのロックピンの先端の移動方向を操作部材の移動方向には移動不能で、その移動方向と直角の方向やハート溝の深さ方向には移動可能となるように支持し、手動解除部材によって通常時ハートカムを回転不能に位置規制するため、操作部材移動手段として圧縮コイルスプリングとソレノイドをそれぞれ１個ずつ備え付ければよいことになる。又、ドア爪ロック時に停電してもドアは開かず槽水が流出しない。しかし、停電時に手動解除部材を移動してハートカムを回転させると、ドアを開けることができる。しかも、ロック機構部の機械的強度を小さくすることによるコンパクト化とソレノイドの単数化により装置を小形化できる。
【００３５】
又、請求項２記載の発明では爪挿入部材の操作部設置側に設けたアームの内側空間を操作部材の爪挿入部材設置側に設けたロック用突部を収納する空間にでき、そのアームの先端部の位置とロック用突部の位置がロック機構作動前にはずれているため、それ等のアームやロック用突部が爪挿入部材移動の妨げとならず、ドアを自在に開閉できる。しかし、ロック機構作動後には爪挿入部材のドア爪ロック解除方向の前側にロック用突部がきてアームの先端部と並ぶため、簡単に爪挿入部材を戻らなくしてロックできる。又、操作部材を元の位置に戻すと、そのロックの解除も簡単に行える。しかも、補強板を用いてアームを補強するため、アームを細長く肉薄に形成しても外力に耐えられるようになる。
【００３６】
又、請求項３記載の発明ではプランジャーに固定した位置決め手段のソレノイド本体側に消音部材を重ねて設置するため、プランジャーの吸引時に位置決め手段がソレノイド本体の固定鉄心等に直接当ると発生する作動音を消音部材によって簡単に消すことができる。
【００３７】
又、請求項４記載の発明では爪挿入部材と圧縮コイルスプリングとの間にシーソー型カムの一端部を介在し、そのシーソー型カムの他端部を固定接点に対応する可動接点付きのスプリング力を有する可動片に接触させたスイッチ部を備えているため、爪挿入部材のストロークを大きくして、ドア爪のロックを強固にしても、接触圧を良好な一定圧に保ち、両接点の接触による摩耗を少なくすることができる。又、そのスイッチ部を大電流スイッチにし、スイッチのオン、オフをドアの開閉動作と連動させることができるため安全である。
【図面の簡単な説明】
【図１】本発明を適用したドラム式洗濯機用ドアロック装置のケース取り付け前の状態を示す正面図である。
【図２】同ドラム式洗濯機用ドアロック装置のケース取り付け後の状態を示す縦断面図である。
【図３】同ドラム式洗濯機用ドアロック装置の右側面図である。
【図４】同ドラム式洗濯機用ドアロック装置に備える爪挿入部材の背面図である。
【図５】同ドラム式洗濯機用ドアロック装置のロック機構に備える操作部材の正面図である。
【図６】同操作部材の裏面側に備えるハートカムのハート溝を示す図である。
【図７】同ハートカムのハート溝の深さ関係を示す一部縦断面図である。
【図８】同ドラム式洗濯機用ドアロック装置のドア解放状態をケースを省略して示す一部正面図である。
【図９】同ドラム式洗濯機用ドアロック装置のドア閉鎖、ドア爪ロック解除時状態をケースを省略して示す一部正面図である。
【図１０】同ドラム式洗濯機用ドアロック装置に備えるスイッチ部の爪挿入部材のストロークと両接点接触圧との関係を示す図である。
【図１１】同ドラム式洗濯機用ドアロック装置のドア爪ロック状態をケースを省略して示す一部正面図である。
【図１２】同ドラム式洗濯機用ドアロック装置のドア爪ロック状態を手動解除部材の移動により解除する過程をケースを省略して示す一部正面図である。
【図１３】従来のドラム式洗濯機のドア解放時状態を示す概略斜視図である。
【符号の説明】
９…ドアロック装置  １０…ベース  １１…爪挿入部材  １２…ロック機構部
１３…ロック検出部（マイクロスイッチ）  １４…スイッチ部  １５…手動解除機構部  １６…ケース  １９、３１…本体  ２０、５９…開口部  ２１、３３…スイッチ操作用突部  ２２…ドア爪ロック用係合部  ２３…アーム  ２４…補強板  ２６…操作部材  ２７…ハートカム  ２８…ロックピン  ２９、５３、５６…圧縮コイルスプリング  ３０…ソレノイド  ３２…ドア爪ロック用係合部（ロック用突部）  ３４…プランジャー  ３６…連結用突部  ３７…ハートカム軸
３８…ハート溝  ３９…ハート形突部  ４２…金属リング  ４３…ゴムリング
４４…固定鉄心  ４７…押しボタン  ４９…シーソー型カム  ５０、５１…接点
５２…可動片  ５５…手動解除部材  ５７…位置規制用突部  ５８…手動解除用突部
【図１】
0003585203.tif 000002
【図２】
0003585203.tif 000003
【図３】
0003585203.tif 000004
【図４】
0003585203.tif 000005
【図５】
0003585203.tif 000006
【図６】
0003585203.tif 000007
【図７】
0003585203.tif 000008
【図８】
0003585203.tif 000009
【図９】
0003585203.tif 000010
【図１０】
0003585203.tif 000011
【図１１】
0003585203.tif 000012
【図１２】
0003585203.tif 000013
【図１３】
0003585203.tif 000014